(57)【要約】【目的】カメラ２を駆動する電池の消費電力を抑える。【構成】クレードル20にカメラ２が装着されると，クレードル用一次コイル31とカメラ用二次コイル11とが近接する。クレードル用一次コイル31に交流電圧が印加されると，磁力線が発生し，カメラ用二次コイル11に電圧が生じる。カメラ用二次コイルに生じた電圧を用いてカメラ用発光素子７を駆動する。カメラ２を駆動する電池を電源とせずにカメラ用発光素子７を駆動できるので，カメラ２の駆動用電池の消費電力を抑えることができる。【選択図】図３
2010154675.tif 000002
【特許請求の範囲】
【請求項１】
クレードルとこのクレードルに着脱自在に装着可能な電子装置とを含む通信システムであって，
上記クレードルが，
交流電源に接続されることにより磁力線を発生するクレードル用一次コイル，
レーザ光を受光するクレードル用受光素子，および
レーザ光を発光するクレードル用発光素子を備え，
上記電子装置が，
上記クレードル用一次コイルが交流電源に接続されたことに応じて発生する磁力線にもとづいて電圧を発生する電子装置用二次コイル，
上記電子装置用二次コイルに発生した電圧を用いてレーザ光を発光する電子装置用発光素子，および
レーザ光を受光する電子装置用受光素子を備え，
上記電子装置が上記クレードルに装着された場合に，
上記クレードル用一次コイルと上記電子装置用二次コイルとが近接するように，上記クレードル用一次コイルと上記電子装置用二次コイルとが位置決めされ，
上記クレードル用受光素子と上記電子装置用発光素子とが相対し，かつ上記クレードル用受光素子と上記電子装置用発光素子とが相対するように，上記クレードル用受光素子，上記クレードル用発光素子，上記電子装置用受光素子および上記電子装置用発光素子が位置決めされている，
通信システム。
【請求項２】
上記クレードルが，
上記電子装置が上記クレードルに装着されたことを検出する装着検出手段，および
上記装着検出手段によって，上記電子装置が上記クレードルに装着されたことが検出されたことに応じて，上記クレードル用一次コイルに交流電源を供給する供給制御手段をさらに備えている，
請求項１に記載の通信システム。
【請求項３】
上記電子装置が，
上記電子装置用二次コイルにおいて発生した電圧を用いて，磁力線を発生する電子装置用一次コイルをさらに備え，
上記クレードルが，
上記電子装置用一次コイルにより発生した磁力線にもとづいて電圧を発生するクレードル用二次コイルをさらに備え，
上記電子装置が上記クレードルに装着された場合に，
上記電子装置用一次コイルと上記クレードル用二次コイルとが近接するように，上記電子装置用一次コイルと上記クレードル用二次コイルとが位置決めされ，
上記クレードル用発光素子は，上記クレードル用二次コイルにおいて発生する電圧にもとづいて発光するものである，
請求項１または２に記載の通信システム。
【請求項４】
上記クレードルには，上記電子装置が装着されたときに上記電子装置を収納する収納凹所が形成されており，かつ上記電子装置の両側面を覆う２つの壁が収納凹所の両側に形成されており，２つの壁のうち一方の壁に上記電子装置が上記クレードルに装着されたときに上記電子装置が上記クレードルに固定されるロック機構が形成されており，２つの壁のうち他方の壁に上記クレードル用受光素子および上記クレードル用発光素子が形成されており，
上記電子装置の一側面に上記電子装置用発光素子および上記電子装置用受光素子が形成されている，
請求項１から３のうちいずれか一項に記載の通信システム。
【請求項５】
上記電子装置が，
上記電子装置用二次コイルにおいて発生した電圧を用いて電子装置用充電池を充電する充電回路をさらに備えた請求項１から４のうちいずれか一項に記載の通信システム。
【請求項６】
クレードルとこのクレードルに着脱自在に装着可能な電子装置とを含む通信システムの制御方法であって，
上記クレードルに，
クレードル用一次コイル，
レーザ光を受光するクレードル用受光素子，および
レーザ光を発光するクレードル用発光素子を設け，
上記電子装置に，
電子装置用二次コイル，
レーザ光を発光する電子装置用発光素子，および
レーザ光を受光する電子装置用受光素子を設け，
上記電子装置が上記クレードルに装着された場合に，
上記クレードル用一次コイルと上記電子装置用二次コイルとが近接するように，上記クレードル用一次コイルと上記電子装置用二次コイルとが位置決めされ，
上記クレードル用受光素子と上記電子装置用発光素子とが相対し，かつ上記クレードル用受光素子と上記電子装置用発光素子とが相対するように，上記クレードル用受光素子，上記クレードル用発光素子，上記電子装置用受光素子および上記電子装置用発光素子が位置決めされており，
上記クレードル用一次コイルが，交流電源に接続されたことにより磁力線を発生し，
上記電子装置用二次コイルが，上記クレードル用一次コイルが交流電源に接続されたことに応じて発生する磁力線にもとづいて電圧を発生し，
上記電子装置用発光素子が，上記電子装置用二次コイルに発生した電圧を用いてレーザ光を発光する，
通信システムの制御方法。
【発明の詳細な説明】
【技術分野】
【０００１】
この発明は，通信システムおよびその制御方法に関する。
【背景技術】
【０００２】
ディジタル・スチル・カメラなどの電子装置においては，充電池によって駆動するものがある。そのために，カメラを装着することにより充電する充電器がある（特許文献１）。
【特許文献１】特開2002-44884号公報
【０００３】
また，負荷に直接接触することなく電力を供給するための非接触電力供給システムもある（特許文献２）。
【特許文献２】特開2006-217731号公報
【０００４】
しかしながら，クレードルとこのクレードルに着脱自在に装着可能な電子装置とを含む通信システムにおいて，クレードルと電子装置との間でレーザ光を用いて通信する場合に電子装置を駆動する電池の電力消費を抑えることは考えられていない。
【発明の開示】
【０００５】
この発明は，電子装置を駆動する電池の電力消費を抑えることを目的とする。
【０００６】
この発明は，クレードルとこのクレードルに着脱自在に装着可能な電子装置とを含む通信システムについてのものである。
【０００７】
上記クレードルは，交流電源に接続されることにより磁力線を発生するクレードル用一次コイル，レーザ光を受光するクレードル用受光素子，およびレーザ光を発光するクレードル用発光素子を備えている。
【０００８】
上記電子装置は，上記クレードル用一次コイルが交流電源に接続されたことに応じて発生する磁力線にもとづいて電圧を発生する電子装置用二次コイル，上記電子装置用二次コイルに発生した電圧を用いてレーザ光を発光する電子装置用発光素子，およびレーザ光を受光する電子装置用受光素子を備えている。
【０００９】
上記電子装置が上記クレードルに装着された場合に，上記クレードル用一次コイルと上記電子装置用二次コイルとが近接するように，上記クレードル用一次コイルと上記電子装置用二次コイルとが位置決めされ，上記クレードル用受光素子と上記電子装置用発光素子とが相対し，かつ上記クレードル用受光素子と上記電子装置用発光素子とが相対するように，上記クレードル用受光素子，上記クレードル用発光素子，上記電子装置用受光素子および上記電子装置用発光素子が位置決めされている。
【００１０】
この発明は，上記通信システムに適した制御方法も提供している。すなわち，この方法は，クレードルとこのクレードルに着脱自在に装着可能な電子装置とを含む通信システムの制御方法である。
【００１１】
上記クレードルには，クレードル用一次コイル，レーザ光を受光するクレードル用受光素子，およびレーザ光を発光するクレードル用発光素子が設けられる。
【００１２】
上記電子装置には，電子装置用二次コイル，レーザ光を発光する電子装置用発光素子，およびレーザ光を受光する電子装置用受光素子が設けられる。
【００１３】
上記電子装置が上記クレードルに装着された場合に，上記クレードル用一次コイルと上記電子装置用二次コイルとが近接するように，上記クレードル用一次コイルと上記電子装置用二次コイルとが位置決めされ，上記クレードル用受光素子と上記電子装置用発光素子とが相対し，かつ上記クレードル用受光素子と上記電子装置用発光素子とが相対するように，上記クレードル用受光素子，上記クレードル用発光素子，上記電子装置用受光素子および上記電子装置用発光素子が位置決めされており，上記クレードル用一次コイルが，交流電源に接続されたことにより磁力線を発生し，上記電子装置用二次コイルが，上記クレードル用一次コイルが交流電源に接続されたことに応じて発生する磁力線にもとづいて電圧を発生し，上記電子装置用発光素子が，上記電子装置用二次コイルに発生した電圧を用いてレーザ光を発光するものである。
【００１４】
この発明によると，クレードル用一次コイルが交流電源に接続されることにより磁力線が発生し，電子装置用二次コイルに電圧が発生する。すると，電子装置用二次コイルにおいて発生した電圧を用いて電子装置用発光素子が発光する。電子装置用発光素子から発光したレーザ光は，クレードル用受光素子において受光される。クレードル用発光素子から発光したレーザ光は，電子装置用受光素子において受光される。電子装置用発光素子は，電子装置用二次コイルにおいて発生した電圧を用いて発光するから，電子装置を駆動する電池の消費電力を抑えることができる。また，電子装置をクレードルに装着した場合に電子装置用発光素子が発光するから，電子装置を単独で持ち歩いた場合に発光してしまうことを未然に防止できる。さらに，電子装置をクードルに装着した場合には，電子装置用発光素子およびクレードル用発光素子のいずれもふさがれることとなるので，発光素子からのレーザ光がユーザなどの目に入ってしまうことを未然に防止できる。
【００１５】
上記クレードルが，上記電子装置が上記クレードルに装着されたことを検出する装着検出手段，および上記装着検出手段によって，上記電子装置が上記クレードルに装着されたことが検出されたことに応じて，上記クレードル用一次コイルに交流電源を供給する供給制御手段をさらに備えていることが好ましい。
【００１６】
上記電子装置が，上記電子装置用二次コイルにおいて発生した電圧を用いて，磁力線を発生する電子装置用一次コイルをさらに備えてもよい。この場合，上記クレードルは，上記電子装置用一次コイルにより発生した磁力線にもとづいて電圧を発生するクレードル用二次コイルをさらに備えることとなろう。そして，上記電子装置が上記クレードルに装着された場合に，上記電子装置用一次コイルと上記クレードル用二次コイルとが近接するように，上記電子装置用一次コイルと上記クレードル用二次コイルとが位置決めされ，上記クレードル用発光素子は，上記クレードル用二次コイルにおいて発生する電圧にもとづいて発光するものとなろう。
【００１７】
上記クレードルには，上記電子装置が装着されたときに上記電子装置を収納する収納凹所が形成されており，かつ上記電子装置の両側面を覆う２つの壁が収納凹所の両側に形成されており，２つの壁のうち一方の壁に上記電子装置が上記クレードルに装着されたときに上記電子装置が上記クレードルに固定されるロック機構が形成されており，２つの壁のうち他方の壁に上記クレードル用受光素子および上記クレードル用発光素子が形成されており，上記電子装置の一側面に上記電子装置用発光素子および上記電子装置用受光素子が形成されているものでもよい。
【００１８】
上記電子装置が，上記電子装置用二次コイルにおいて発生した電圧を用いて電子装置用充電池を充電する充電回路をさらに備えてもよい。
【実施例】
【００１９】
図１は，この発明の実施例を示すもので，通信システム１の斜視図である。
【００２０】
通信システム１には，ディジタル・スチル・カメラ（電子装置）２とクレードル（カメラ台，電子装置台）20とが含まれている。クレードル20には，凹所25（図２（Ｂ）参照）が形成されている。この凹所25にディジタル・スチル・カメラ２が着脱自在に装着されている。
【００２１】
ディジタル・スチル・カメラ２の上面には，シャッタ・レリーズ・ボタン３および電源ボタン４が形成されている。また，ディジタル・スチル・カメラ２の前面には撮像レンズ５が形成されている。
【００２２】
図２（Ａ）は，ディジタル・スチル・カメラ２の斜視図であり，底面が手前に見えている。図２（Ｂ）は，クレードル20の斜視図である。
【００２３】
図２（Ａ）を参照して，ディジタル・スチル・カメラ２の底面の左側には，内側にへこんでいる凹部６が形成されている。この凹部６の一側面には，レーザ光を発光するカメラ用発光素子（電子装置用発光素子）７が設けられている。また，凹部６の他の側面には，後述するクレードル用発光素子23から発光されるレーザ光を受光するカメラ用受光素子８が設けられている。
【００２４】
図２（Ｂ）を参照して，クレードル20には，上述のようにディジタル・スチル・カメラ２を着脱自在に装着するための凹所25が形成されている。この凹所25の底面の左側に上方に突出している凸部21が形成されている。凸部21の一側面には，ディジタル・スチル・カメラ２のカメラ用発光素子７から発光されるレーザ光を受光するクレードル用受光素子22が形成されている。また，凸部21の他の側面にはレーザ光を発光するクレードル用発光素子23が設けられている。
【００２５】
図３（Ａ）は，図２（Ａ）のIIIＡ−IIIＡ線に沿う断面図であり，図３（Ｂ）は，図２（Ｂ）のIIIＢ−IIIＢ線に沿う断面図である。
【００２６】
図３（Ａ）を参照して，上述のように，ディジタル・スチル・カメラ２の凹部６の一側面にはカメラ用発光素子７が形成されており，凹部６の他の側面にはカメラ用受光素子８が形成されている。カメラ用発光素子７はケーブル17によって基板10の一端部に接続され，カメラ用受光素子８はケーブル18によって基板10の一端部に接続されている。また，基板10の他端部にはカメラ用二次コイル（電子装置用二次コイル）11が接続されている。
【００２７】
図３（Ｂ）を参照して，上述のように，クレードル20の凸部21の一側面にはクレードル用受光素子22が形成されており，凸部21の他の側面にはクレードル用発光素子23が形成されている。クレードル用受光素子22はケーブル37によって基板30の一端部に接続され，クレードル用発光素子23はケーブル38によって基板30の一端部に接続されている。また，基板30の他端部にはクレードル用一次コイル31が接続されている。
【００２８】
クレードル20にディジタル・スチル・カメラ２が装着されると，クレードル20の凸部21がディジタル・スチル・カメラ２の凹部６に入り込む。すると，カメラ用発光素子７の発光面とクレードル用受光素子22の受光面とが相対することとなる。同様に，カメラ用受光素子８の受光面とクレードル用発光素子23の発光面とが相対することとなる。カメラ用発光素子７から投光されたレーザ光がクレードル用受光素子22において受光され，クレードル用発光素子23から投光されたレーザ光がカメラ用受光素子８において受光されることとなる。ディジタル・スチル・カメラ２とクレードル20との間でレーザ光通信ができるようになる。
【００２９】
また，クレードル20にディジタル・スチル・カメラ２が装着されると，クレードル用一次コイル31とカメラ用二次コイル11とが近接することとなる。クレードル用一次コイル31に電圧が印加されると，磁力線が発生し，カメラ用二次コイル11に電圧が発生することとなる。
【００３０】
図４は，通信システム１の電気的構成を示すブロック図である。これらの図において，図１〜図３に示すものと同一物については同一符号が付されている。
【００３１】
クレードル20には，上述したように，クレードル用受光素子22およびクレードル用発光素子23が含まれている。これらのクレードル用受光素子22およびクレードル用発光素子23は，通信制御装置34により制御される。
【００３２】
また，クレードル20には，上述したように，クレードル用一次コイル31が含まれている。このクレードル用一次コイル31は，電源回路33に接続されている。電源回路33にはコンセント・プラグ36が接続されている。コンセント・プラグ36がコンセント差込口に差し込まれると，クレードル用一次コイル31に交流電圧が印加されて磁力線が発生する。また，通信制御装置34ならびにクレードル用受光素子22およびクレードル用発光素子23に電源回路33から電源が供給されている。さらに，クレードル20には，クレードル20にディジタル・スチル・カメラ２が装着されたことを検出する装着検出回路35が設けられている。
【００３３】
ディジタル・スチル・カメラ２には，上述したように，カメラ用発光素子７およびカメラ用受光素子８が含まれている。これらのカメラ用発光素子７およびカメラ用受光素子８は通信制御装置14によって制御される。
【００３４】
また，ディジタル・スチル・カメラ２には，上述のように，カメラ用二次コイル11が含まれている。このカメラ用二次コイル11は電源回路13に接続されている。上述のように，クレードル20のコンセント・プラグ36がコンセント差込口に差し込まれるとクレードル用一次コイル31に電圧が印加されて磁力線が発生する。すると，カメラ用二次コイル11に電圧が発生する。発生した電圧にもとづいて，ディジタル・スチル・カメラ２の通信制御装置14ならびにカメラ用発光素子７およびカメラ用受光素子８に電源が供給される。ディジタル・スチル・カメラ２がディジタル・スチル・カメラ２に装填される電池により動作するものであっても，その電池を使用することなくカメラ用発光素子７およびカメラ用受光素子８ならびに通信制御装置14に電源を供給できる。また，ディジタル・スチル・カメラ２はクレードル20に装着されたときにカメラ用発光素子７からレーザ光が投光されるので，ディジタル・スチル・カメラ２を単独で持ち歩いた場合に，誤ってレーザ光が投光されてしまうことを未然に防止できる。
【００３５】
図５は，クレードル20とディジタル・スチル・カメラ２との処理手順を示すフローチャートである。
【００３６】
クレードル20のコンセント・プラグ36はコンセント差込口に差し込まれているものとする。ディジタル・スチル・カメラ２がクレードル20に装着されたことが装着検出回路35によって検出されると（ステップ41でＹＥＳ），電源回路（供給制御手段）33によってクレードル用一次コイル31に交流電圧が印加される（ステップ42）。すると，クレードル用一次コイル31に磁力線が発生し，カメラ用二次コイル11に電圧が発生する。発生した電圧がディジタル・スチル・カメラ２の通信制御回路14ならびにカメラ用発光素子７およびカメラ用受光素子８に供給されて，カメラ用発光素子７からレーザ光が投光される（ステップ51）。
【００３７】
カメラ用発光素子７から投光されたレーザ光がクレードル用受光素子22において受光されると（ステップ43），クレードル用発光素子23からレーザ光が投光される（ステップ44）。クレードル用発光素子23から投光されたレーザ光がカメラ用受光素子８において受光される。カメラ用発光素子７からのレーザ光の投光，カメラ用発光素子７からのレーザ光のクレードル用受光素子22における受光，クレードル用発光素子23からのレーザ光の投光およびクレードル用発光素子23からのレーザ光のカメラ用受光素子８における受光により，クレードル20とディジタル・スチル・カメラ２との間のレーザ光通信が行われることとなる（ステップ45，52）。
【００３８】
図６（Ａ）および図６（Ｂ），図７ならびに図８は他の実施例を示すものである。
【００３９】
図６（Ａ）は，図３（Ａ）に相当するもので，ディジタル・スチル・カメラの断面図，図６（Ｂ）は，図３（Ｂ）に相当するもので，クレードルの断面図である。これらの図において，図３（Ａ）および図３（Ｂ）に対応するものは同一符号を付して説明を省略する。
【００４０】
図６（Ａ）を参照して，ディジタル・スチル・カメラ２Ａには，上述したカメラ用二次コイル11のほかにカメラ用一次コイル12が含まれている。このカメラ用一次コイル12も基板10に接続されている。
【００４１】
図６（Ｂ）を参照して，クレードル20Ａには，上述したクレードル用一次コイル31のほかにクレードル用二次コイル32が含まれている。このクレードル用二次コイル32も基板30に接続されている。
【００４２】
クレードル20Ａにディジタル・スチル・カメラ２Ａが装着されると，クレードル用一次コイル31とカメラ用二次コイル11とが近接し，かつカメラ用一次コイル12とクレードル用二次コイル32とが近接する。
【００４３】
図７は，通信システム１Ａの電気的構成を示すブロック図である。この図において，図４に示すものと同一物については同一符号を付して説明を省略する。
【００４４】
上述のように，クレードル用一次コイル31に交流電圧が印加されると，カメラ用二次コイル11に電圧が発生する。発生した電圧はカメラ用一次コイル12に印加される。すると，カメラ用一次コイル12により磁力線が発生し，クレードル用二次コイル32に電圧が発生する。クレードル用二次コイル32に発生した電圧がクレードル用受光素子22およびクレードル用発光素子23ならびに通信制御装置34に与えられる。
【００４５】
クレードル用受光素子22およびクレードル用発光素子23ならびに通信制御装置34は，クレードル用二次コイル32において発生した電圧によって駆動されることとなる。クレードル20Ａにディジタル・スチル・カメラ２Ａが装着されなければ，クレードル用二次コイル32に電圧が発生しないので，クレードル用発光素子23から誤ってレーザ光が投光されてしまうことを未然に防止できる。
【００４６】
また，カメラ用二次コイル11において発生した電圧は充電回路15にも供給される。充電回路15によって充電池16が充電される。
【００４７】
図８は，クレードル20Ａとディジタル・スチル・カメラ２Ａとの間の処理手順を示すフローチャートである。この図において，図５に示す処理と同一の処理については同一符号を付して説明を省略する。
【００４８】
上述のように，クレードル20Ａにディジタル・スチル・カメラ２Ａが装着されると，カメラ用二次コイル11に電圧が発生する。発生した電圧を用いて充電池16が充電される（ステップ53）。クレードル20Ａとディジタル・スチル・カメラ２Ａとの間の通信中に充電池16を充電できるようになる。
【００４９】
図９ならびに図10（Ａ）および図10（Ｂ）は，さらに他の実施例を示している。
【００５０】
図９は，通信システム１Ｂの斜視図である。
【００５１】
上述した通信システム１および１Ａは，ディジタル・スチル・カメラの底面がクレードルの底面と接するように，ディジタル・スチル・カメラがクレードルに装着されているが，図９に示すものはディジタル・スチル・カメラ２Ｂの背面がクレードル20Ｂの底面と接するようにディジタル・スチル・カメラ２Ｂがクレードル20Ｂに装着される。
【００５２】
クレードル20Ｂの底面の大きさは，ディジタル・スチル・カメラ２Ｂの背面の大きさにほぼ対応している。ディジタル・スチル・カメラ２Ｂの背面がクレードル20Ｂの底面に接するように，ディジタル・スチル・カメラ２Ｂがクレードル20Ｂにはめ込められる。
【００５３】
図10（Ａ）および図10（Ｂ）は，図９のＸ−Ｘ線に沿う断面図である。図10（Ａ）は，ディジタル・スチル・カメラ２Ｂの断面図であり，図10（Ｂ）は，クレードル20Ｂの断面図である。これらの図において，図３（Ａ）および図３（Ｂ）に示すものと同一物については同一符号を付している。
【００５４】
図10（Ａ）を参照して，ディジタル・スチル・カメラ２Ｂの右側面に上述したカメラ用発光素子７およびカメラ用受光素子８が設けられている。また，ディジタル・スチル・カメラ２Ｂの左側面には凹所19が形成されている。
【００５５】
図10（Ｂ）を参照して，クレードル20Ｂには，上述したように，ディジタル・スチル・カメラ２Ｂの背面の大きさとほぼ同じ大きさの底面をもつ収納凹所65が形成されている。クレードル20Ｂには四方に壁が形成されている。それらの壁のうち，一つの壁61に上述したクレードル用受光素子22およびクレードル用発光素子23が形成されている。また，他の壁62には内側に突起63が形成されている。
【００５６】
クレードル20Ｂにディジタル・スチル・カメラ２Ｂが装着されることにより，突起63がディジタル・スチル・カメラ２Ｂの凹所19に入り込み，クレードル20Ｂにディジタル・スチル・カメラ２Ｂが固定される。また，カメラ用発光素子７とクレードル用受光素子22とが相対し，かつカメラ用受光素子８とクレードル用発光素子23とが相対する。さらに，クレードル用一次コイル31とカメラ用二次コイル11とが近接する。
【００５７】
上述の実施例においては，電子装置の一例としてディジタル・スチル・カメラを取り上げたが，ディジタル・スチル・カメラに限らず，他の電子装置にも適用できるのはいうまでもない。
【図面の簡単な説明】
【００５８】
【図１】通信システムの斜視図である。
【図２】（Ａ）は，ディジタル・スチル・カメラを，（Ｂ）は，クレードルを示している。
【図３】（Ａ）は，ディジタル・スチル・カメラの断面図を，（Ｂ）は，クレードルの断面図を示している。
【図４】通信システムの電気的構成を示すブロック図である。
【図５】通信システムの処理手順を示すフローチャートである。
【図６】（Ａ）は，ディジタル・スチル・カメラの断面図を，（Ｂ）は，クレードルの断面図を示している。
【図７】通信システムの電気的構成を示すブロック図である。
【図８】通信システムの処理手順を示すフローチャートである。
【図９】通信システムの斜視図である。
【図１０】（Ａ）は，ディジタル・スチル・カメラの断面図を，（Ｂ）は，クレードルの断面図を示している。
【符号の説明】
【００５９】
１，１Ａ，１Ｂ  通信システム
２，２Ａ，２Ｂ  ディジタル・スチル・カメラ（電子装置）
20，20Ａ，20Ｂ  クレードル
７  カメラ用発光素子（電子装置用発光素子）
８  カメラ用受光素子（電子装置用受光素子）
11  カメラ用二次コイル（電子装置用二次コイル）
12  カメラ用一次コイル（電子装置用一次コイル）
22  クレードル用受光素子
23  クレードル用発光素子
31  クレードル用一次コイル
32  クレードル用二次コイル
【図１】
2010154675.tif 000003
【図２】
2010154675.tif 000004
【図３】
2010154675.tif 000005
【図４】
2010154675.tif 000006
【図５】
2010154675.tif 000007
【図６】
2010154675.tif 000008
【図７】
2010154675.tif 000009
【図８】
2010154675.tif 000010
【図９】
2010154675.tif 000011
【図１０】
2010154675.tif 000012